(57)【特許請求の範囲】
【請求項１】
低温時に自己着火式内燃機関を始動する方法であって、
ａ）内燃機関の圧縮行程中にパイロット噴射より第一の燃料量が燃焼室内に導入され、部分的に均質な予混合気が燃焼室内で形成されるステップと、
ｂ）メイン噴射によってメイン燃料量が燃焼室に導入され、自己着火によって混合気が燃焼するステップを有し、
パイロット噴射の噴射開始は、部分的に均質な予混合気がごく短い着火遅れで着火可能であるように選択され、メイン噴射の噴射開始は、燃焼段階中か又は着火した予混合気の燃焼段階の直後にメイン燃料量が燃焼室に導入されるように選択され、パイロット噴射がピストン上死点前クランク角度２２°から１００°の間で行われ、メイン噴射がピストン上死点前クランク角度２０°からピストン上死点後クランク角度２０°の間の範囲で行われ、メイン噴射が複数回のパーシャル噴射に分割され、内燃機関の始動動作の初めに第一のパーシャル噴射が上死点前クランク角度２°と上死点後クランク角度２°の間の範囲で、第二のパーシャル噴射が上死点後クランク角度２°と５°の間の範囲で行われ、
第二の及び／又は後続のパーシャル噴射中に導入される燃料量が、先行するパーシャル噴射中に導入される燃料量よりも大きく、第二の及び／又は後続のパーシャル噴射の噴射開始が回転数の増大につれて遅角の方向にずらされ、かつ
第一のパーシャル噴射の噴射開始が回転数の増大につれて進角方向にずらされる
ことを特徴とする方法。
【請求項２】
パイロット噴射がピストン上死点前クランク角度２５°から３０°の間の範囲で行われることを特徴とする、請求項１に記載の方法。
【請求項３】
さらなるパイロット噴射が行われることを特徴とする、請求項１または２に記載の方法。
【請求項４】
１回又は複数回のパイロット噴射中に導入された燃料量の合計が、１回の作動サイクル中に導入された燃料量全体の５〜２０重量％であることを特徴とする、請求項１〜３のいずれか一項に記載の方法。
【請求項５】
パイロット噴射の噴射開始が回転数の増大につれて進角方向にずらされることを特徴とする、請求項１〜４のいずれか一項に記載の方法。
【請求項６】
コモンレール式噴射システムを使用して噴射が行われることを特徴とする、請求項１〜５のいずれか一項に記載の方法。
【請求項７】
始動動作中の噴射圧が、内燃機関の回転数に依存して調整されることを特徴とする、請求項６に記載の方法。
【請求項８】
メイン燃料量とパイロット噴射中に導入される燃料の部分量の合計との間の量比が回転数及び／又は内燃機関内の温度に依存して調整されることを特徴とする、請求項１〜７のいずれか一項に記載の方法。
【発明の詳細な説明】
【技術分野】
【０００１】
本発明は、低温時に自己着火式内燃機関を始動するための方法に関する。ここでは、最初に第一の燃料量が内燃機関の圧縮行程中に第一のパイロット噴射によって燃焼室に導入され、部分的に均質な予混合気が形成される。後続の行程では、メイン燃料量がメイン噴射によって燃焼室内に導入され、混合気は自己着火によって燃焼する。
【背景技術】
【０００２】
特許文献１から、低温時に自己着火式内燃機関を始動するための方法が公知である。ここでは、燃料が３回のパーシャル噴射で内燃機関の１つの燃焼室に導入される。１回のパイロット噴射中に、ピストンが圧縮ストロークの下死点にあるとき、第一の燃料量が噴射される。メイン燃料量はメイン噴射中に燃焼室に導入され、その際にメイン噴射はピストンが上死点の範囲にあるときに行われる。メイン噴射の直後には、より優れたエネルギー変換が得られるとされるポスト噴射が続く。この方法によって低温始動段階中のミスファイアを回避することができる。
【０００３】
特許文献２から、低温時に自己着火式内燃機関を始動するための別の方法が公知である。ここでは少量の第一の燃料量が１つの燃焼室に導入され、その結果予混合気が形成される。適切なセンサーを使用して、予混合気が着火したかどうかが監視される。これらの行程は、第一の燃料量の自己着火が確認されるまで後続する作動サイクルで繰り返される。続いて、メイン燃料量が燃焼室に導入され、その際にメイン燃料量と空気から形成された混合気が、支配条件下で確実に着火する。移行段階中に１回のパイロット噴射及び１回のメイン噴射が内燃機関１回の爆発サイクル中又は前後して続く爆発サイクル中に燃焼室で行われることが可能である。
【先行技術文献】
【特許文献】
【０００４】
【特許文献１】独国特許出願公開第１０２００４０５３７４８号明細書
【特許文献２】特開２０００−１９２８３６号公報
【発明の概要】
【発明が解決しようとする課題】
【０００５】
本発明の課題は、低温時におけるより確実で迅速な始動を実現する、内燃機関を始動するための改善された方法を提示することである。
【課題を解決するための手段】
【０００６】
本発明により、第一のパイロット噴射の噴射開始は部分的に均質な予混合気がごく短い着火遅れで着火可能であるように選択され、メイン噴射の噴射開始は、燃焼段階中か又は着火した予混合気の燃焼段階の直後に続いてメイン燃料量が燃焼室に導入されるように選択される。圧縮行程中は、燃焼室にあるガスが圧縮され、それによって燃焼室温度が上昇する。この圧縮されたガス中に第一の燃料量が１回のパイロット噴射によって導入される。外気温度が低い状態では、従来式の拡散燃焼にとっては燃焼室内の温度が低すぎるため、最初に部分的に均質な予混合気が燃焼室に形成される。本発明による方法に従い、燃焼室内の温度が圧縮の結果十分に高く、形成された部分的に均質な予混合気が、典型的な部分的に均質な燃焼中に短い着火遅れの後で高められた温度で反応する時点で、第一の燃料量が燃焼室に導入される。短い着火遅れの例となる値は、第一のパイロット噴射の噴射開始から燃焼室内の温度が格段に高まる（例えば噴射開始直前の燃焼室温度を１００Ｋ又はそれ以上上回る）までの１ミリ秒から１５ミリ秒の間の期間である。内燃機関の回転数に依存して、ここに挙げた期間は対応するクランク角度に換算することができる。さらに、メイン噴射の噴射開始は、メイン燃料量が予混合気の燃焼段階中又は直後に燃焼室内に噴射されるように選ばれる。この時点で燃焼室内の温度レベルは予混合気の反応のためにさらに格段に高まり、その結果メイン燃料量によって形成された混合気の着火が容易になる。
【０００７】
本方法の一実施形態では、パイロット噴射はピストン上死点の前クランク角度２２°から１００°の間、特に２５°から３０°の間の範囲で行われる。圧縮段階中にこの時点で燃焼室内の比較的暖かい、圧縮された空気又は混合気中へ遅れて導入することにより、短い着火遅れが保証される。さらに、温度が高められた状態では予混合気の部分的に均質な燃焼のために十分な期間が使えるため、著しい温度上昇が達成できる。
【０００８】
本方法の別の一実施形態では、メイン噴射が上死点前クランク角度２０°と上死点後クランク角度２０°の間の範囲で行われる。この範囲では燃焼室ガスの最大圧縮によって及び予混合気の反動からの熱放出の進展によって、燃焼室内が最高温度になり、その結果メイン燃料量が着火及び燃焼する確率が高い。
【０００９】
本方法の別の一実施形態では、メイン噴射を複数回のパーシャル噴射に分割する。つまりメイン燃料量は複数回のパーシャル噴射で燃焼室に導入される。燃焼室内への燃料噴射及び後に続く気化は、内在的に燃焼室内の短期間の温度低下をもたらし、それによって着火遅れが長くなる。メイン噴射を複数回のパーシャル噴射へ分割することにより、各パーシャル噴射で引き起こされる温度低下は比較的小さくなり、それによって短い着火遅れと確実な温度上昇が得られる。
【００１０】
本方法の別の一実施形態では、内燃機関の始動動作の初めに、第一のパーシャル噴射が上死点前クランク角度２°と上死点後クランク角度２°の間の範囲で、及び第二のパーシャル噴射が上死点後クランク角度２°と５°の間の範囲で行われる。この条件下では、特に低温及び／又は低回転数時に、第一のパーシャル噴射によって導入された燃料量が反応するための十分な期間が与えられる。特に本方法のこの実施形態では、始動動作の開始あるいは混合気の最初の燃焼が改善される。
【００１１】
本方法の別の一実施形態では、第一のパーシャル噴射の噴射開始が回転数の増大につれて進角方向にずらされる。このようにして予混合気の反応による温度上昇を最適に有効利用できる。
【００１２】
本方法の別の一実施形態では、第二の及び／又は後続のパーシャル噴射の噴射開始は、回転数の増大につれて遅角の方向にずらされ、その結果先行するパーシャル噴射の終了と第二の及び／又は後続するパーシャル噴射の開始の間の期間が十分大きいため、持続的な温度上昇が保証できる。
【００１３】
本方法の別の一実施形態では、第二の及び／又は後続のパーシャル噴射中に導入された燃料量は先行するパーシャル噴射中に導入された燃料量よりも大きい。これはつまり、前後して連続しながら、メイン噴射中は常により大きな燃料量が燃焼室に導入される。このようにして始動動作の安定性がさらに改善される。
【００１４】
本方法の別の一実施形態では、さらなるパイロット噴射が行われる。それによって燃焼室温度はこのパイロット噴射段階中にも徐々に高められ、その結果安定した始動動作が可能になる。
【００１５】
本方法の別の一実施形態では、１回又は複数回のパイロット噴射中に導入された燃料量の合計が、１回の作動サイクル中に導入された燃料量全体の５〜２０重量％である。この量比では、予混合気の反応によって燃焼室の加熱が十分に大きいため、メイン燃料量の確実な燃焼が可能である。
【００１６】
本方法の別の一実施形態では、パイロット噴射の噴射開始が回転数の増大につれて進角方向にずらされる。つまりパイロット噴射は、より進角のクランク角度で行われる。それによって予混合気の反応及び燃焼室の持続的な温度上昇の達成のために十分な期間が、回転数増大時にも使用できる。
【００１７】
本方法の別の一実施形態では、噴射はコモンレール式噴射システムを使用して行われる。この噴射システムは、個々の噴射中の燃料噴射タイミング、燃料噴射期間及び燃料噴射量が可能な限り最善に制御あるいはコントロールできるようにするために、要求される可変性を提供する。
【００１８】
本方法の別の一実施形態では、燃料の最適な霧化を可能にし、及び／又は燃焼室の壁面の濡れを最小化するために、始動動作中の噴射圧は内燃機関の回転数に依存して調整される。
【００１９】
本方法の別の一実施形態では、メイン燃料量とパイロット噴射中に導入された燃料の部分量の合計との間の量比が、内燃機関の回転数及び／又は温度に依存して調整され、それによって内燃機関の低温始動特性がさらに改善される。
【００２０】
以下では、本方法を１つの好ましい実施例を使用して詳しく説明する。上に挙げて述べられ、以下に説明される特徴は、それぞれ提示された特徴の組み合わせだけでなく、他の組み合わせでも、又は単独でも、本発明の枠を離れることなく使用可能である。
【図面の簡単な説明】
【００２１】
【図１】クランク角度に基づいた燃焼室内の噴射経過及び発熱経過を示す図である。
【図２】内燃機関の回転数に基づいた着火遅れ及び噴射タイミングの例を示す図である。
【発明を実施するための形態】
【００２２】
図には示していない内燃機関は、本実施例では６つの燃焼室を備えたディーゼルエンジンである。この内燃機関はコモンレール式噴射装置を備えている。この装置は、定義された燃料量を時間的に正確に個々の燃焼室へ配量することを可能にする。内燃機関はさらに、クランク角度を測定するための角度センサーとコントロールユニットを備えている。このコントロールユニットの支援によって、測定したクランク角度及び場合によっては温度、回転数、出力要求量などの内燃機関で測定した別のパラメーターに依存してコモンレール式噴射装置を制御することができる。
【００２３】
内燃機関の始動動作においては、最初に内燃機関のクランクシャフトが始動装置を使用して回転させられる。このクランクシャフトはコンロッドを介して個々の燃焼室のピストンと結合しており、その結果クランクシャフトの回転によって個々のピストンに往復のストローク動作が引き起こされる。
【００２４】
本発明の観点では、内燃機関の作動のために重要な温度が、確実な始動を困難にするほど低い場合に低温始動がもたらされる。外気温度及び／又はクーラント温度が−１５°Ｃ以下が基準値とみなされる。
【００２５】
図１の下部分には、内燃機関の低温始動中の内燃機関の燃料噴射装置の制御信号を例として示している。内燃機関の各燃焼室には、少なくとも１つの噴射装置が割り当てられている。この噴射装置は、好ましくは１つのソレノイドバルブを備えており、このソレノイドバルブを介して１つの多孔ノズル内のニードル弁を制御することができる。図１に示された制御信号は、コントロールユニットからソレノイドバルブへ伝達することができ、多孔ノズル内のニードル弁のリフト量の調整を実現させる。このようにして、燃焼室内への燃料の正確なドージングが可能になる。残りの５つの燃焼室に割り当てられた内燃機関の噴射装置は、６気筒ディーゼルエンジンの着火順序に従って同様にクランク角度間隔０°、１２０°、及び２４０°で制御される。
【００２６】
図１に示された制御信号から、すべての燃料量が内燃機関の点火上死点ＺＯＴの範囲で燃焼室に導入されることが明らかである。本実施例では、パイロット噴射Ｐｉｌ１中の第一の燃料量が、圧縮行程中にクランク角度約−２５°で、つまり点火上死点ＺＯＴの前で、燃焼室内に噴射される。第一の燃料量は、好ましくは１ｍｇ〜３０ｍｇの間にあり、この量は燃焼サイクル中に噴射される燃料量全体の５％から２０％に相当する。
【００２７】
次に、メイン噴射中にメイン燃料量が燃焼室内に導入される。メイン噴射は第一のパ−シャル噴射Ｍａｉｎ１と第二のパーシャル噴射Ｍａｉｎ２に分割される。第一のパーシャル噴射Ｍａｉｎ１は、クランク角度約０°で行われる。第二のパーシャル噴射Ｍａｉｎ２は、第一のパーシャル噴射Ｍａｉｎ１の終了後クランク角度約１．５°の間隔をおいて始まり、上死点ＺＯＴ後クランク角度約３．５°まで及ぶ。
【００２８】
図１の上部分は、上死点ＺＯＴの範囲の燃焼室内の発熱経過を示している。上死点ＺＯＴ前で観察できる発熱経過の負の勾配は、主に燃焼室壁への熱伝達による熱損失に起因している。この発熱経過は周囲温度−２７°Ｃで測定された。
【００２９】
クランク角度約−２５°における第一の燃料量Ｐｉｌ１の噴射により、部分的に均質な混合気が燃焼室内に形成される。導入された第一の燃料量は噴射の際に気化し、それによってまず燃焼室温度がわずかに低下する（図１では、パイロット噴射Ｐｉｌ１後ろのやや平坦な発熱経過勾配から読み取れる）。しかし、パイロット噴射Ｐｉｌ１の時点では、燃焼室内の温度は従来型の拡散燃焼にとっては低すぎるため、第一の燃料量が形成した予混合気は典型的な部分的に均質な燃焼で反応する。均質化中、熱伝導及び燃焼室中の渦流並びに圧縮の進展によって予混合気が暖められる。本実施例では約−２５°から約−９°のクランク角度に及び、やはり低温段階と呼ばれる第一の反応段階１においては、予備反応が行われてその中で基本的に過酸化物とアルデヒドが形成されて分解され、その際にはわずかな熱量が放出されるだけである。これに続く、最高温度段階とも呼ばれる、約−９°から約０°のクランク角度に及ぶ第二の反応段階２では、混合気の熱による着火が起こり、その結果ここでは予混合気の反応からの本来の熱放出が行われる。第一の反応段階１及び第二の反応段階２は、一緒に予混合気の１つの燃焼段階を形成する。
【００３０】
メイン燃料量は、メイン噴射Ｍａｉｎ１、Ｍａｉｎ２中、予混合気の一部が第二の反応段階２で燃焼する時点で燃焼室内に導入され、その結果この時点においてすでに燃焼室内の温度は格段に高められている。第一のパーシャル噴射Ｍａｉｎ１によって形成された混合気は、第三の反応段階３で化学反応し、燃焼することが図１から読み取れる。第一のパーシャル噴射Ｍａｉｎ１噴射開始と熱による着火の発生との間の着火遅れは、予混合気の反応における着火遅れと比べて格段に短縮される。燃焼室内の温度が高められたために第一のパーシャル噴射Ｍａｉｎ１後に形成された混合気の気化はより迅速になり、すでに上死点ＺＯＴ後クランク角度１°で着火し、それによって燃焼室内の温度がさらに上昇する。続いて、第二のパーシャル噴射Ｍａｉｎ２では比較的大きな燃料量が暖められた燃焼室に導入され、高温のためにほとんど噴射開始直後に第四の反応段階４で着火する。
【００３１】
第二のパーシャル噴射Ｍａｉｎ２中に導入された燃料量は、好ましくは第一のパーシャル噴射Ｍａｉｎ１に導入された燃料量よりも大きく、それによって気化が与える燃焼室温度への影響、ひいては着火遅れへの影響が和らげられる。第一のパーシャル噴射中に噴射された燃料量は比較的小さく、その結果気化後に燃焼室温度がわずかに低下するだけである。混合気の燃焼から放出されたエネルギーにより、気化による温度低下が相殺され、燃焼室温度は上昇する。より高い温度になったことによって後続する第二のパーシャル噴射中に導入される燃料量の着火遅れが短縮される。
【００３２】
修正された一実施例では、メイン噴射はさらなるパーシャル噴射に分割され、その際に好ましくは各パーシャル噴射における燃料量は、先行するパーシャル噴射中に燃焼室に導入される燃料量よりも大きい。このようにして、全体として比較的大きな燃料量が低温時に確実に燃焼する。
【００３３】
修正された別の一実施例では、さらなるパイロット噴射が行われ、その際に各パイロット噴射後に導入された燃料量が小さいことで温度低下が少なく、着火遅れが短く調整され、その結果全体としてより迅速な温度上昇とより迅速な予混合気の反応が可能になる。
【００３４】
パイロット噴射及びメイン噴射は、低温始動時に複数の圧縮行程中で行われることが可能である。その際に、最初の着火が場合によってはクランクシャフトが数回回転してから初めて行われることに注意しなければならない。
【００３５】
図２には、第一のパーシャル噴射の噴射開始ＢＯＩ_Ｍａｉｎ１及びその噴射終了ＥＯＩ_Ｍａｉｎ１、第二のパーシャル噴射の噴射開始ＢＯＩ_Ｍａｉｎ２、並びに内燃機関の回転数に依存する、測定された着火遅れの変化が例として示されている。パーシャル噴射の噴射開始及び噴射終了並びにパイロット噴射は、好ましくは内燃機関の回転数並びに外気温度及び／又はエンジン温度に依存して調整される。その際に、第一のパーシャル噴射Ｍａｉｎ１は最も早くても予混合気が高温段階中に反応するときに行われなければならないことに注意しなければならない。なぜならさもなければ予混合気の燃焼が第一のパーシャル噴射Ｍａｉｎ１によって消火されてしまう危険があるからである。より高い回転数域では燃焼室温度がより高いために予混合気がより迅速に反応し、第一のパーシャル噴射の噴射開始ＢＯＩ_Ｍａｉｎ１は回転数の増大につれて進角に、つまりより大きなクランク角度の上死点ＺＯＴ前にずらすことができる。第二のパーシャル噴射の噴射開始ＢＯＩ_Ｍａｉｎ２は、回転数の増大につれて遅角に、つまりより大きなクランク角度の上死点ＺＯＴ後にずらされ、その結果として第一のパーシャル噴射によって形成された混合気と反応するための十分な期間が残される。
【００３６】
本発明による方法では、１回又は複数回のパイロット噴射中及びメイン噴射の第一のパーシャル噴射中にそれぞれわずかな燃料量だけが燃焼室内に導入される。これによって個々の噴射時に生じる気化に起因する温度低下が小さく、それぞれ噴射された燃料量で形成された混合気が比較的短い着火遅れの後で着火する。燃焼時に生じた熱によって温度低下が相殺されるだけでなく、さらに燃焼室温度の上昇がもたらされる。続いて噴射された燃料量は、それに対応してより迅速に反応し、これより前に噴射された燃料量よりも短い着火遅れの後で燃焼する。このようにして、燃焼室温度が徐々に上昇するように大きい燃料量が燃焼室内にもたらされ、最終的に低い外気温度において大きい燃料量が確実に着火することが可能になる。
【図１】
0005661029.tif 000002
【図２】
0005661029.tif 000003